(57)【特許請求の範囲】
【請求項１】
点滅光源と；
バッテリと；
外部電源を電源として前記バッテリを充電する充電制御手段と；
外部からの制御信号を受信する信号入力手段と；
前記外部電源を電源として前記点滅光源を点滅制御する外部電源点滅制御手段と、前記外部電源点滅制御手段による前記点滅光源の点滅制御状態とは異なる光出力による点滅制御状態、または前記外部電源点滅制御手段による前記点滅光源の点滅制御状態とは異なる前記点滅光源の光源色による点滅制御状態で前記バッテリを電源として前記点滅光源を点滅制御するバッテリ点滅制御手段とを有し、
前記信号入力手段が外部からの前記制御信号を受信すると前記点滅光源の点滅制御を開始するとともに、前記外部電源から前記点滅光源に電源供給されている場合には前記外部電源点滅制御手段によって前記点滅光源を点滅制御し、前記外部電源から前記点滅光源への電源供給が停止して前記バッテリから前記点滅光源に電源供給されている場合には前記バッテリ点滅制御手段によって前記点滅光源を点滅制御する点滅制御手段と；
を具備することを特徴とする照明装置。
【請求項２】
前記点滅光源は半導体発光素子であり、
前記外部電源は交流電源であり、
前記充電制御手段は、前記交流電源を直流電源に変換して前記バッテリを充電するものであり、
前記外部電源点滅制御手段は、前記充電制御手段によって変換された直流電源によって前記半導体発光素子を点滅制御することを特徴とする請求項１記載の照明装置。
【発明の詳細な説明】
【技術分野】
【０００１】
本発明は、点滅光源を有する照明装置に関する。
【背景技術】
【０００２】
点滅光源を有した照明装置として、例えば誘導灯がある。この誘導灯は火災報知信号の入力により点滅光源を発光させ、誘目性を向上させ避難者に避難口の位置を知らせることにより、火災時および停電時の避難の迅速性を向上させるためのものである。
【０００３】
点滅光源を有する照明装置として、商用電源通電時に火災報知信号が入力された場合は、点滅光源を商用電源で動作させるものが知られている（例えば、特許文献１参照）。
【０００４】
特許文献１の照明装置は、商用電源を降圧する第１の降圧部と、第１の降圧部によって充電される第１のバッテリーと、商用電源または第１のバッテリーで動作する第１の昇圧部と、第１の昇圧部によって点灯する光源とから成る第１の誘導装置と、商用電源を降圧する第２の降圧部と、第２の降圧部によって充電される第２のバッテリーと、第２のバッテリーで動作する第２の昇圧部と、第２の昇圧部によって点灯する点滅光源とから成る第２の誘導装置と、商用電源を降圧する第３の降圧部と、第３の降圧部によって充電される第３のバッテリーと、第３のバッテリーで動作し音声合成を行う増幅部と、増幅部の出力信号を拡声するスピーカとから成る第３の誘導装置のうち、第２の誘導装置または第３の誘導装置の少なくとも片方と、第１の誘導装置とを具備する照明装置において、商用電源通電時に火災報知信号が入力された場合は、第２の誘導装置または第３の誘導装置を商用電源で動作させることを特徴としている。
【０００５】
特許文献１の照明装置は、商用電源通電時において火災報知信号が入力された場合は、点滅装置を有する第２の誘導装置へ商用電源から電源供給を行っていた。
【先行技術文献】
【特許文献】
【０００６】
【特許文献１】特開２００３−０６８４８２号公報
【発明の概要】
【発明が解決しようとする課題】
【０００７】
しかしながら、特許文献１の技術は商用電源通電時に火災報知信号が入力された場合は、点滅光源を商用電源で動作させるので、避難者に火災が発生したことを報知することはできるが、商用電源の遮断が発生したことを報知するのは困難であった。また、第１の誘導装置における光源によってピクトグラム等を表示させる表示面の輝度低下によって、照明装置の電源が商用電源からバッテリーに切り替わったことを判別可能ではあったが、一般の避難者には判別することは困難であった。
【０００８】
本発明は、火災発生または火災発生と停電等の外部電源の遮断が同時に発生したこと等の災害発生状況を避難者に報知することができるとともに点滅光源の長時間の発光が可能であり、信頼性を向上させることができる照明装置を提供することを目的とする。
【課題を解決するための手段】
【０００９】
請求項１記載の照明装置は、点滅光源と；バッテリと；外部電源を電源として前記バッテリを充電する充電制御手段と；外部からの制御信号を受信する信号入力手段と；前記外部電源を電源として前記点滅光源を点滅制御する外部電源点滅制御手段と、前記外部電源点滅制御手段による前記点滅光源の点滅制御状態とは異なる光出力による点滅制御状態、または前記外部電源点滅制御手段による前記点滅光源の点滅制御状態とは異なる前記点滅光源の光源色による点滅制御状態で前記バッテリを電源として前記点滅光源を点滅制御するバッテリ点滅制御手段とを有し、前記信号入力手段が外部からの前記制御信号を受信すると前記点滅光源の点滅制御を開始するとともに、前記外部電源から前記点滅光源に電源供給されている場合には前記外部電源点滅制御手段によって前記点滅光源を点滅制御し、前記外部電源から前記点滅光源への電源供給が停止して前記バッテリから前記点滅光源に電源供給されている場合には前記バッテリ点滅制御手段によって前記点滅光源を点滅制御する点滅制御手段と；を具備することを特徴とする。
【００１０】
本発明および以下の各発明において、特に言及しない限り、各構成は以下による。
【００１１】
点滅光源は、線状光源、点状光源または平面状光源であってもよく、例えば、蛍光ランプ、低圧ナトリウムランプおよび高圧ナトリウムランプなどの放電ランプ、発光ダイオードおよびエレクトロルミネッセンスなどの半導体発光素子、一般用白熱電球、ハロゲン電球などの各種光源を所望により選択使用することができる。また、点滅光源は、非常点灯専用でもよいし、常用点灯と兼用であってもよく、その構成は特に限定しない。
【００１２】
バッテリは、ニッケルカドミウム電池、ニッケル水素電池、リチウムイオン電池などの各種電池を所望により選択することができる。また、バッテリは、外部電源からの電源供給停止時に光源を点灯させるための所望の機能を満たすように構成されていればその構成および個数は限定しない。
【００１３】
充電制御手段は、外部電源が交流電源であった場合に交流電源を直流電源に変換するＡＣ−ＤＣ変換手段を有することが好適であるが、外部電源によりバッテリを充電することができるように構成されていればその構成は特に限定しない。
【００１４】
信号入力手段は、外部からの制御信号の入力形態が有線か無線かを問わず、所望の機能を満たすように構成されていればその構成は特に限定しない。
【００１５】
点滅制御手段は、外部電源点滅制御手段とバッテリ点滅制御手段は個別に点滅制御手段として設けられてもよいが、機能として外部電源点滅制御手段とバッテリ点滅制御手段を個別に有するが点滅制御手段に一体で設けられることが好適である。
【００１６】
また、点滅制御手段は、外部電源による点滅光源への電源供給を検出し、外部電源から点滅光源への電源供給が停止した場合には点滅光源の電源をバッテリに切り替えることができるように構成されていることが好適である。なお、この外部電源の供給状態を検出する機能は別に設けてもよい。
【００１７】
「異なる点滅制御状態」とは、外部電源点滅制御手段による点滅光源の点滅制御とバッテリ点滅制御手段による点滅光源の点滅制御を比較して、光出力、点滅周期、または点滅光源の光源色が異なることが好適であるが、外部電源点滅制御手段とバッテリ点滅制御手段とで点滅制御状態が異なればその構成は特に限定しない。なお、前記の好適である理由は以下の実施形態の中で説明する。
【００１８】
請求項１記載の発明によれば、点滅制御手段は、外部電源を電源として点滅光源を点滅制御する外部電源点滅制御手段と、バッテリを電源として点滅光源を点滅制御するバッテリ点滅制御手段を有し、信号入力手段により外部からの制御信号を受信すると点滅光源の点滅制御を開始するとともに、外部電源から点滅光源に電源供給されている場合には外部電源点滅制御手段によって点滅光源を点滅制御し、外部電源から点滅光源への電源供給が停止してバッテリから点滅光源に電源供給されている場合にはバッテリ点滅制御手段によって、外部電源点滅制御手段による点滅光源の点滅制御状態とは、例えば光出力、点滅周期、または点滅光源の光源色が異なるように点滅光源を点滅制御する。
【００１９】
請求項２記載の照明装置は、請求項１記載の照明装置において、前記点滅光源は半導体発光素子であり、前記外部電源は交流電源であり、前記充電制御手段は、前記交流電源を直流電源に変換して前記バッテリを充電するものであり、前記外部電源点滅制御手段は、前記充電制御手段によって変換された直流電源によって前記半導体発光素子を点滅制御することを特徴とする。
【００２０】
請求項２記載の発明によれば、半導体発光素子は点滅可能回数が多く点滅光源として長寿命であり、一般的に用いられているキセノンランプを用いた点滅光源と比較して、電源電圧を高電圧にする必要がないため、外部電源点滅制御手段とバッテリ点滅制御手段とを比較的容易な構成で実現することができる。
【００２１】
また、充電制御手段は、この交流電源を直流電源に変換してバッテリを充電するものであり、外部電源点滅制御手段は、充電制御手段によって変換された直流電源によって半導体発光素子を点滅制御するので、外部電源点滅制御手段のための専用のＡＣ−ＤＣ変換手段を別個に設ける必要がない。
【発明の効果】
【００２２】
請求項１記載の発明によれば、火災発生または火災発生と停電等の外部電源の遮断が同時に発生したこと等の災害発生状況を避難者に報知することができるとともに、点滅光源の発光時間を長くすることができるので、照明装置の機能に対する信頼性を高めることができる。
【００２３】
請求項２記載の発明によれば、請求項１記載の効果に加えて点滅光源として半導体発光素子を用いたので、バッテリ点滅制御手段により点滅光源の点滅制御を行った際の点滅光源の発光時間を長くすることができる。また、外部電源点滅制御手段により半導体発光素子を点滅制御する場合には、充電制御手段により外部電源である交流電源を直流電源に変換して半導体発光素子を点滅制御するので、複雑な構成としなくとも点滅制御を行うことができ、照明装置の機能に対する信頼性をより向上させることができる。
【図面の簡単な説明】
【００２４】
【図１】本発明の第一の実施形態を示す照明装置１００の斜視図
【図２】同じく照明システム１０１における照明装置１００の構成図
【図３】同じく図２の点滅制御手段２３による光出力の変化状態を示した説明図
【図４】同じく図２の点滅制御手段２３による点滅周期の変化状態を示した説明図
【図５】本発明の第四の実施形態における照明装置１００の構成図
【発明を実施するための形態】
【００２５】
以下、本発明の実施形態である照明装置について図面を参照して説明する。
【００２６】
図１は本発明の第一の実施形態を示す照明装置１００の斜視図、図２は同じく照明システム１０１における照明装置１００の構成図、図３は同じく図２の点滅制御手段２３による光出力の変化状態を示した説明図である。
【００２７】
本実施形態の照明装置１００について、図１を参照して説明する。
【００２８】
照明装置１００は、器具本体１、周枠部２、表示部３、主光源４および点滅光源５等を具備しているものであって、天井または壁面に取付けられるものである。
【００２９】
器具本体１は、周枠部２を有しており、周枠部２に形成された図示しない開口部を覆うように表示部３が設けられる。周枠部２および表示部３により器具本体１の内部に形成された空間に照明装置１００の所望の機能を満たすための装置が設けられる。
【００３０】
表示部３の上方には、図示しない光源ホルダに主光源４が設けられている。なお、この光源ホルダに光源の一部を覆うように図示しない反射板が形成されているものである。
【００３１】
表示部３は、表面に避難方向を示すシンボルが表示されるように形成されるものであって、本実施形態においては、その内部に図示しない導光板を有し、その導光板と重なるようにシンボルが印刷等された図示しない表示板を設けているものである。そして、上記導光板の一端部側から上記した主光源４の出射光を入射させてシンボルを照明／表示させるものである。
【００３２】
主光源４は、常用時に外部電源により点灯し、非常時にはバッテリによる給電により点灯するものであり、発光光源として発光ダイオードを用いている。
【００３３】
点滅光源５は、火災報知信号の受信に伴い、発光を開始するものであり、発光光源として発光ダイオードを用いている。
【００３４】
本実施形態の照明システム１０１について、図２を参照して説明する。
【００３５】
照明システム１０１は、照明装置１００、照明装置に電源を供給するための交流電源である外部電源３１、自動火災報知設備４２、自動火災報知設備４２に電源を供給するための外部電源４１、自動火災報知設備４２から送出された火災報知信号を受信し、火災報知信号を中継するとともに照明装置１００に火災が発生したことを伝達するための信号装置４３を有する。
【００３６】
ここで、自動火災報知設備４２は感知器および発信機とこれらから送出された火災報知信号を受信するための受信機等を有し、火災により発生した熱、煙または炎を感知器または発信機から送出される情報により自動的に検出して火災の発生を防火対象物の全域に報知するものである。
【００３７】
照明装置１００は、常用時に外部電源３１から給電され点灯する主光源４と、自動火災報知設備４２から送出され信号装置４３を経由して信号入力手段２４に火災報知信号が入力された場合に発光を開始する点滅光源５と、主光源４および点滅光源５に接続された各手段により構成される。
【００３８】
主光源４には常用時に主光源４を点灯させるための点灯制御手段１３が接続され、主光源充電制御手段１１は外部電源３１と点灯制御手段１３の間に分岐して設けられる。バッテリ１２は主光源充電制御手段１１に接続され、主光源充電制御手段１１と点灯制御手段１３とが接続される。主光源４の電源を外部電源３１またはバッテリ１２に切り替えるための主光源判別手段１３ａが点灯制御手段１３に設けられる。
【００３９】
一方で、点滅光源５には主光源４と同様にバッテリ２２を充電させるための点滅光源充電制御手段２１が外部電源３１と点滅制御手段２３の間で分岐して設けられる。バッテリ２２は点滅光源充電制御手段２１に接続され、点滅光源充電制御手段２１には外部電源３１の交流電源を直流電源に変換するＡＣ−ＤＣ変換部が設けられる。また、点滅光源５を発光させるための点滅制御手段２３が点滅光源５と外部電源３１の間に設けられる。点滅光源充電制御手段２１は点滅制御手段２３に接続される。また、点滅制御手段２３には自動火災報知設備４２から送出された火災報知信号を受信し点滅制御手段２３に送信するための信号入力手段２４が接続されている。そして、点滅制御手段２３は点滅光源判別手段２３ａ、バッテリ点滅制御手段２３ｂ、および外部電源点滅制御手段２３ｃを有している。
【００４０】
次に、照明装置１００の動作について図２を参照して説明する。
【００４１】
常用時には外部電源３１からの電源供給により主光源充電制御手段１１を介してバッテリ１２が充電されるとともに点灯制御手段１３により主光源４が点灯する。外部電源３１による主光源４への電源供給が停止した場合は、主光源判別手段１３ａは電源を外部電源３１からバッテリ１２に切り替える。主光源４はバッテリ１２により給電され点灯する。
【００４２】
また、バッテリ１２は、外部電源３１による電源供給の停止時に主光源４に電源を供給するために設けられ、常用時に外部電源３１から電源を供給され主光源充電制御手段１１により充電される。同様に、バッテリ２２は、外部電源３１による電源供給の停止時に点滅光源５に電源を供給するために設けられ、常用時に外部電源３１から電源を供給され点滅光源充電制御手段２１により充電される。
【００４３】
自動火災報知設備４２が火災の発生を検出し、自動火災報知設備４２から火災報知信号が信号装置４３を介して信号入力手段２４に入力され、点滅制御手段２３が火災報知信号を受信した場合には、点滅光源判別手段２３ａは点滅光源５を発光させるための電源を判断し点滅制御手段２３により発光を開始する。
【００４４】
この時、外部電源３１からの電源供給が継続していることを点滅光源判別手段２３ａが検出した場合には、点滅制御手段２３に設けられた外部電源点滅制御手段２３ｃにより点滅光源５の点滅制御が行われる。この場合、外部電源３１の交流電源を直流電源に変換するＡＣ−ＤＣ変換部を点滅制御手段２３が有し、この直流電源の出力を外部電源点滅制御手段２３ｃによる点滅光源５の点滅制御に用いる。
【００４５】
一方で、点滅光源判別手段２３ａが外部電源３１による点滅光源５への電源供給の停止を検出した場合には、点滅光源判別手段２３ａは電源を外部電源３１からバッテリ２２へ切り替えるとともにバッテリ点滅制御手段２３ｂによる点滅光源５の点滅制御を開始する。
【００４６】
次に、外部電源点滅制御手段２３ｃによる点滅光源５の点滅制御とバッテリ点滅制御手段２３ｂによる点滅光源５の点滅制御で光出力が異なるように点滅制御する場合の動作について、図２および図３を参照して説明する。
【００４７】
図３おいて、縦軸は光出力、横軸は時間を表す。なお、誘導灯に対する法令等の指示に基づく規格に従い、縦軸における光出力は輝度を単位としてもよい。
【００４８】
また、図３において、縦軸のＬ１およびＬ２は光出力のある数値を表し、光出力Ｌ１は光出力Ｌ２より大きい数値として定義する。
【００４９】
時間軸において、ＡおよびＢはある時刻を表す。時刻Ａは外部電源点滅制御手段２３ｃにより点滅光源５の点滅制御が開始された時刻である。時刻Ｂはバッテリ点滅制御手段２３ｂにより点滅光源５の点滅制御が開始された時刻である。また、図３において、ｔ１は点滅光源５の点灯時間、ｔ２は点滅光源５の消灯時間を表す。
【００５０】
時刻Ａにおいて、外部電源点滅制御手段２３ｃにより点滅光源５の点滅制御が開始されると、外部電源点滅制御手段２３ｃは光出力Ｌ１で時間ｔ１の点灯と時間ｔ２の消灯が繰り返されるように点滅光源５を制御する。
【００５１】
一方、時刻Ｂにおいて、外部電源３１からの電源供給が停止しかつ信号入力手段２４への火災報知信号の入力が継続している場合は、点滅光源判別手段２３ａは給電先を外部電源３１からバッテリ２２に切り替えるとともに、点滅制御手段２３を外部電源点滅制御手段２３ｃからバッテリ点滅制御手段２３ｂに切り替える。バッテリ点滅制御手段２３ｂはバッテリ２２による電源供給により点滅光源５の点滅制御を開始し、バッテリ点滅制御手段２３ｂは光出力Ｌ２で時間ｔ１の点灯と時間ｔ２の消灯が繰り返されるように点滅光源５を制御する。
【００５２】
このように本実施形態によれば、火災発生または火災発生と照明装置１００への外部電源３１による電源供給の停止が同時に起こっていることを避難者に容易に報知することができる。また、外部電源点滅制御手段２３ｃによる点滅制御よりバッテリ点滅制御手段２３ｂによる点滅制御の方が点滅光源５の光出力を小さくするという容易な制御により点滅光源の発光時間を長くすることができるので、防災用照明装置としての信頼性を高めることができる。
【００５３】
さらに、本実施形態において、外部電源３１の交流電源を直流電源に変換するＡＣ−ＤＣ変換部を外部電源点滅制御手段２３ｃと外部電源３１の間に接続されるように設けたので、外部電源点滅制御手段２３ｃによって点滅光源５の点滅制御を開始したとしても点滅光源充電制御手段２１によるバッテリ２２の充電制御は継続するため、外部電源点滅制御手段２３ｃによる点滅光源５の点滅制御が長時間に亘ったとしても、外部電源３１による電源供給が行われていれば点滅光源充電制御手段２１によりバッテリは略満充電が維持され、火災報知信号の入力が継続したまま外部電源３１による電源供給が停止したとしても、バッテリ点滅制御手段２３ｂによる点滅光源５の点滅制御をより長く行うことができ、照明装置１００の信頼性をさらに向上させることができる。
【００５４】
次に、本発明の第二の実施形態について図を参照して説明する。なお、第一の実施形態と同一部分に同一番号を付してその説明は省略する。
【００５５】
図４は同じく図２の点滅制御手段２３による点滅周期の変化状態を示した説明図である。
【００５６】
外部電源点滅制御手段２３ｃによる点滅光源５の点滅制御とバッテリ点滅制御手段２３ｂによる点滅光源５の点滅制御で点滅周期が異なるように点滅制御する場合の動作について、図２および図４を参照して説明する。
【００５７】
図４において、ｔ１は外部電源点滅制御手段２３ｃによる点滅光源５の点灯時間、ｔ２は外部電源点滅制御手段２３ｃによる点滅光源５の消灯時間、ｔ３はバッテリ点滅制御手段２３ｂによる点滅光源５の点灯時間、ｔ４はバッテリ点滅制御手段２３ｂによる点滅光源５の消灯時間を表す。
【００５８】
時刻Ａにおいて、外部電源点滅制御手段２３ｃにより点滅光源５の発光が開始されると、外部電源点滅制御手段２３ｃは光出力Ｌ１で時間ｔ１の点灯と時間ｔ２の消灯が繰り返されるように点滅光源５を制御する。
【００５９】
一方、時刻Ｂにおいて、外部電源３１からの電源供給が停止しかつ信号入力手段２４への火災報知信号の入力が継続している場合は、点滅光源判別手段２３ａは給電先を外部電源３１からバッテリ２２に切り替えるとともに、点滅制御手段２３を外部電源点滅制御手段２３ｃからバッテリ点滅制御手段２３ｂに切り替える。バッテリ点滅制御手段２３ｂはバッテリ２２による電源供給により点滅光源５の発光を開始し、バッテリ点滅制御手段２３ｂは光出力Ｌ１で時間ｔ３の点灯と時間ｔ４の消灯が繰り返されるように点滅光源５を制御する。
【００６０】
このように本実施形態によれば、点滅光源の発光時間を長くすることができるとともに、点滅光源５の点滅周期を外部電源点滅制御手段２３ｃによる点滅制御の場合とバッテリ点滅制御手段２３ｂによる点滅制御の場合とで変更することにより、避難者に光出力のみを変化させた場合と比較して、火災発生または火災発生と照明装置１００への外部電源３１による電源供給の停止が同時に起こっていることをより容易に報知し、照明装置の信頼性をさらに高めることができる。
【００６１】
なお、本実施形態において、外部電源点滅制御手段２３ｃによる点滅制御とバッテリ点滅制御手段２３ｂによる点滅制御とで、バッテリ２２からの電源供給による点滅光源５の発光時間をより長くして避難者が避難する時間をできる限り長くするためには、点灯時間ｔ３を点灯時間ｔ１より短くなるように変化させることが望ましい。または、消灯時間ｔ４を消灯時間ｔ２より長くなるように変化させることが望ましい。なお、これら点灯時間と消灯時間の変化を同時に行ってもよい。また、第一の実施形態においても、これら点灯時間と消灯時間の変化を適宜行ってもよい。
【００６２】
また、本実施形態において、外部電源点滅制御手段２３ｃによる点滅制御とバッテリ点滅制御手段２３ｂによる点滅制御とで、点滅制御は同一の光出力Ｌ１により行われる形態を示したが、光出力を変化させる場合、バッテリ２２による電源供給による点滅光源５の発光時間をより長くし、第一の実施形態のように外部電源点滅制御手段２３ｃによる点滅光源５の光出力よりもバッテリ点滅制御手段２３ｂによる点滅光源５の光出力が小さくなるように制御することが望ましい。これにより、避難者が避難する時間をできる限り長くできるからである。
【００６３】
さらに、第一の実施形態および本実施形態において、点滅制御はある光出力と点滅光源５の消灯すなわち光出力が０の状態が繰り返される形態を示したが、ある光出力での点灯とその光出力より小さな光出力での点灯が繰り返されるように点滅光源５を制御してもよい。
【００６４】
次に、本発明の第三の実施形態について説明する。なお、第一および第二の実施形態と同一部分には同一の符号を付して説明を省略する。図を参照した詳細な説明はしないが、外部電源点滅制御手段２３ｃによる点滅光源５の点滅制御とバッテリ点滅制御手段２３ｂによる点滅光源５の点滅制御で点滅光源５の光源色が異なるように点滅制御する場合の動作について説明する。
【００６５】
外部電源点滅制御手段２３ｃによる点滅光源５の点滅制御とバッテリ点滅制御手段２３ｂによる点滅光源５の点滅制御で点滅光源５の光源色が異なるように点滅制御するために、点滅光源５は少なくとも２種類以上の異なる光源色の半導体発光素子を有する必要がある。
【００６６】
点滅光源５と外部電源点滅制御手段２３ｃおよびバッテリ点滅制御手段２３ｂの構成としては、同一の光源色を有する半導体発光素子が外部電源点滅制御手段２３ｃに接続し、外部電源点滅制御手段２３ｃに接続された半導体発光素子５と異なる光源色を有する半導体発光素子５がバッテリ点滅制御手段２３ｂに接続することにより、外部電源点滅制御手段２３ｃによる点滅光源５の点滅制御とバッテリ点滅制御手段２３ｂによる点滅光源５の点滅制御で点滅光源５の光源色が異なるように点滅制御することができる。
【００６７】
この構成によれば、複雑な構成としなくとも比較的容易に外部電源点滅制御手段２３ｃによる点滅制御とバッテリ点滅制御手段２３ｂによる点滅制御とで点滅光源５の光源色を変更することができるので、火災発生または火災発生と照明装置１００への外部電源３１による電源供給の停止が同時に起こっていることを避難者に点滅周期を変更するよりもさらに容易に報知することができる。
【００６８】
なお、光源色の異なる半導体発光素子５の全てまたは一部を外部電源点滅制御手段２３ｃおよびバッテリ点滅制御手段２３ｂの両方に接続し、外部電源点滅制御手段２３ｃによる点滅光源５の点滅制御とバッテリ点滅制御手段２３ｂによる点滅光源５の点滅制御で点滅光源５の光源色が異なるように点滅制御することもできる。
【００６９】
この構成によれば、個々の半導体発光素子５をそれぞれ外部電源点滅制御手段２３ｃに接続するか、バッテリ点滅制御手段２３ｂに接続するかを選択することができるので、点滅光源５の光源色を多様に変更することができる。
【００７０】
次に、本発明の第四の実施形態について説明する。なお、第一乃至第三の実施形態と同一部分には同一の符号を付して説明を省略する。図５は本発明の第四の実施形態における照明装置１００の構成図である。本実施形態の照明装置１００について、図５を参照して説明する。
【００７１】
点滅光源５にはバッテリ２２を充電させるための点滅光源充電制御手段２１が外部電源３１と点滅制御手段２３の間に設けられ、点滅光源充電制御手段２１は点滅光源判別手段２１ａおよび第一の実施形態と同様にＡＣ−ＤＣ変換部を有している。点滅制御手段２３はバッテリ点滅制御手段２３ｂ、および外部電源点滅制御手段２３ｃを有している。
【００７２】
次に、照明装置１００の動作について図５を参照して説明する。
【００７３】
本実施形態においては、点滅制御手段２３に設けられた外部電源点滅制御手段２３ｃにより半導体発光素子５を直流電源で点滅制御を行う際に、この直流電源を点滅光源充電制御手段２１に設けられたＡＣ−ＤＣ変換部で変換された直流電源を用いるものである。
【００７４】
この時、点滅光源充電制御手段２１で変換された直流電源を外部電源点滅制御手段２３ｃおよびバッテリ２２に同時に出力すると、外部電源点滅制御手段２３ｃおよびバッテリ２２に入力される直流電源は不安定になる虞があるため、火災報知信号が信号入力手段２４に入力され外部電源点滅制御手段２３ｃにより半導体発光素子５の点滅制御を行う場合は、点滅光源充電制御手段２１を用いたバッテリ２２の充電を停止して、外部電源点滅制御手段２３ｃによる半導体発光素子の発光を行うこともできる。
【００７５】
上記の制御を行った場合に、バッテリ２２が点滅光源充電制御手段２１等に電気的に接続されていると、充電を停止し外部電源３１により半導体発光素子５を点滅制御している間にバッテリ２２からの放電が起こる可能性があるため、放電をでき得る限り防止しバッテリ２２からの放電を自己放電に留めるためにバッテリ２２は他の構成要素から電気的に絶縁されていることが望ましい。
【００７６】
また、第一の実施形態と同様に点滅光源判別手段２３ａが外部電源３１による点滅光源５への電源供給の停止を検出した場合には、点滅光源判別手段２３ａは電源を外部電源３１からバッテリ２２へ切り替えるとともにバッテリ点滅制御手段２３ｂによる点滅光源５の点滅制御を開始する。
【００７７】
このように本実施形態によれば、点滅光源５に半導体発光素子を用いたことにより、長寿命かつ低消費電力であるので照明装置としての信頼性を向上させることができるとともに、点滅光源５の点滅制御に用いるための直流電源を点滅光源充電制御手段２１からの出力により行うため、バッテリ２２の充電制御用のＡＣ−ＤＣ変換手段と点滅光源５の点滅制御用のＡＣ−ＤＣ変換手段を別個に設けず、複雑な構成としなくとも外部電源３１による半導体発光素子５の点滅制御とバッテリ２２の充電を行うことができるので照明装置の小型化とコストダウンを図りつつ照明装置としての信頼性を向上させることができる。
【符号の説明】
【００７８】
５…点滅光源
２１…点滅光源充電制御手段
２２…バッテリ
２３…点滅制御手段
２３ｂ…バッテリ点滅制御手段
２３ｃ…外部電源点滅制御手段
２４…信号入力手段
３１…外部電源
１００…照明装置
【図１】
0005454912.tif 000002
【図２】
0005454912.tif 000003
【図３】
0005454912.tif 000004
【図４】
0005454912.tif 000005
【図５】
0005454912.tif 000006